(57)【要約】      （修正有）【課題】各硬貨収納部に収納された硬貨が他の硬貨収納部に収納された硬貨と混ざり合うことを防止することができる財布を提供する。【解決手段】袋状に形成され、上部に口金４またはファスナーによって開閉される開口部３を備えた袋部２に、仕切り壁７，８によって仕切られた状態で互いに隣接して袋部２の内側に配置され硬貨を収納する２つ以上の硬貨収納部５ａ，５ｂ，５ｃとを備えて財布を形成する。さらに、仕切り壁７，８は扇形に形成された蛇腹状の伸縮部７ａ，８ａを備えており、開口部３が開閉されるとき伸縮部７ａ，８ａは開口部３の開閉方向に伸縮するので、開口部３が閉じられたときに仕切り壁７，８が折り曲げられて低くなることはなく、各硬貨収納部５ａ，５ｂ，５ｃに収納されている硬貨が、仕切り壁を乗り越えて、他の硬貨収納部５ａ，５ｂ，５ｃに収納されている硬貨と混ざり合うことを防止することができる。【選択図】図２
0003180449.tif 000002
【実用新案登録請求の範囲】
【請求項１】
袋状に形成され、上部に口金またはファスナーによって開閉される開口部を備えた袋部に、仕切り壁によって仕切られた状態で互いに隣接して硬貨を収納する２つ以上の硬貨収納部を備えた財布において、
前記仕切り壁は扇形に形成された蛇腹状の伸縮部を備えており、開口部が開閉されるとき伸縮部は開口部の開閉方向に伸縮するように構成したことを特徴とする財布。
【請求項２】
袋部には隣接して紙幣を収納する紙幣収納部が２つ以上設けられていることを特徴とする請求項１に記載の財布。
【考案の詳細な説明】
【技術分野】
【０００１】
本考案は小銭入れを備えた財布に関する。
【背景技術】
【０００２】
特許文献１に記載されている財布では、小銭を収納する収納部が２つ隣接して設けられており、この２つの収納部間は２つ折り可能な折り目を備えた壁部によって仕切られている。がま口が閉じられると、折り目が斜めに倒れた状態で壁部が２つ折りされて収納部が折り畳まれる。
【先行技術文献】
【特許文献】
【０００３】
【特許文献１】実用新案登録第３１５３３２４号
【考案の概要】
【考案が解決しようとする課題】
【０００４】
特許文献１に記載の財布では、がま口が閉じられたとき、収納部間の壁部は折り目が斜めに倒れた状態で２つ折りされるので、壁部の高さが低くなり、たとえば財布を逆さまにして、がま口を下側に向けた場合に、一方の収納部に収納された硬貨が壁部を乗り越えて、簡単に他方の収納部に入り込み、他方の収納部の硬貨と混ざり合うことがある。
【０００５】
本考案の目的は、各硬貨収納部に収納された硬貨が他の硬貨収納部に収納された硬貨と混ざり合うことを防止することができる財布を提供することである。
【課題を解決するための手段】
【０００６】
この課題を解決するために請求項１に記載の考案は、袋状に形成され、上部に口金またはファスナーによって開閉される開口部を備えた袋部に、仕切り壁によって仕切られた状態で互いに隣接して硬貨を収納する２つ以上の硬貨収納部を備えた財布において、前記仕切り壁は扇形に形成された蛇腹状の伸縮部を備えており、開口部が開閉されるとき伸縮部は開口部の開閉方向に伸縮するものである。
請求項２に記載の考案は、袋部には隣接して紙幣を収納する紙幣収納部が２つ以上設けられているものである。
【考案の効果】
【０００７】
請求項１に記載の考案によれば、仕切り壁は扇形に形成された蛇腹状の伸縮部を備えており、この伸縮部が開口部の開閉方向に伸縮するので、開口部が閉じられたときに仕切り壁が折り曲げられて低くなることはなく、各硬貨収納部に収納されている硬貨が、仕切り壁を乗り越えて、他の硬貨収納部に収納されている硬貨と混ざり合うことを防止することができる。
【０００８】
請求項２に記載の考案によれば、紙幣を分類して各紙幣収納部に収納することができる。
【図面の簡単な説明】
【０００９】
【図１】本考案の第１の実施形態に係る財布の斜視図である。
【図２】同口金を開けた財布の斜視図である。
【図３】同４つの硬貨収納部を備えた財布の斜視図である。
【図４】本考案の第２の実施形態に係る財布の斜視図である。
【図５】本考案の第３の実施形態に係る財布付きバッグの斜視図である。
【考案を実施するための形態】
【００１０】
本考案の第１の実施形態について図１〜図３に基づいて説明する。財布１は、幅方向に細長な袋状に形成された袋部２を備えており、袋部２の上部には開口部３を開閉する口金４が設けられている。袋部２の内部には、硬貨が収納される３つの硬貨収納部５ａ，５ｂ，５ｃが幅方向に一列に並んで設けられている。
【００１１】
硬貨収納部５ａの端部壁６と、硬貨収納部５ａと硬貨収納部５ｂとを仕切る仕切り壁７と、硬貨収納部５ｂと硬貨収納部５ｃとを仕切る仕切り壁８と、硬貨収納部５ｃの端部壁９とは、扇形に形成された蛇腹状の伸縮部６ａ，７ａ，８ａ，９ａを備えており、開口部３が開閉されるとき伸縮部６ａ，７ａ，８ａ，９ａは半径Ｒである扇を広げまたは閉じるようにして口金４の開閉方向に沿って伸縮する。
【００１２】
端部壁６，９および仕切り壁７，８の高さは、開口部３の開閉に伴って変化することはなく一定である。端部壁６，９、仕切り壁７，８の高さは、伸縮部６ａ，７ａ，８ａ，９ａの半径Ｒに保たれており、開口部３が閉じられたときに、端部壁６，９または仕切り壁７，８の高さが低くなることはない。これによって、財布１を逆さまにした場合などに、各硬貨収納部５ａ，５ｂ，５ｃに収納されている硬貨が、仕切り壁７または８を乗り越えて、他の硬貨収納部５ａ，５ｂ，５ｃに収納されている硬貨と混ざり合うことを防止することができる。
【００１３】
さらに、仕切り壁７，８と同じ形状の端部壁６，９が設けられているので、口金４を閉じる動作をするときに、硬貨収納部５ａ，５ｃに収納されている硬貨が端部壁６，９を乗り越えて財布１の外部に抜け出ることを防止することができる。
【００１４】
なお、本実施の形態において、財布１に３つの硬貨収納部５ａ，５ｂ，５ｃが設けられた場合について説明したが、これに限定されるものではなく、たとえば図３に示すように４つの硬貨収納部５ａ，５ｂ，５ｃ，５ｄを設けることもできる。４つの硬貨収納部５ａ，５ｂ，５ｃ，５ｄを設けることによって、硬貨をより細かく分類して収納することができる。
【００１５】
次に本考案の第２の実施形態について図４に基づいて説明する。第１の実施形態についての説明と重複する部分については説明を省略し同一の参照符を用いる。本実施形態において、財布１０は、袋部２の背面側に、紙幣を収納する２つの紙幣収納部１１ａ，１１ｂを前後に重なり合った状態で備えている。紙幣収納部１１ａ，１１ｂは仕切り壁１２によって仕切られたポケットである。財布１０は、紙幣収納部１１ｂの裏面から上方に伸延した蓋部１３を備えており、財布１０が閉じられたとき、蓋部１３は、紙幣収納部１１ａ，１１ｂの開口部と硬貨収納部５ａ，５ｂ，５ｃとを覆った状態で硬貨収納部５ａ，５ｂ，５ｃの前方に垂れ下がっている。
【００１６】
この実施形態によれば、２つの紙幣収納部１１ａ，１１ｂを設けることによって、複数の紙幣を分けて収納することができる。紙幣収納部は２つに限定されるものではなく、たとえば３つの紙幣収納部を設けて、千円札と五千円札と一万円札とを各々分けて収納することもできる。硬貨収納部５ａ，５ｂ，５ｃを開閉する手段としてファスナー１４が用いられているが、これに限定されるものではなく、たとえば口金を用いることもできる。なお、袋部２の表面にはカードが収納されるカード収納部１５が設けられている。
【００１７】
次に本考案の第３の実施形態について図５に基づいて説明する。第１の実施形態または第２の実施形態についての説明と重複する部分については説明を省略する。財布付きバッグ１６は、硬貨収納部１７と紙幣収納部１８とを備えた財布部１９と小物を収納する小物収納部２０とを備えている。小物収納部２０は、たとえばＡ４サイズあるいはＢ５サイズのファイルを収納可能な大きさとして、書籍などを収納することもできる。硬貨収納部１７および紙幣収納部１８の開閉手段としてファスナー２１，２２を用いているが、これに限定されるものではなく、たとえば口金を用いることもできる。なお、財布付きバッグ１６には、財布部１９に隣接して、ボールペンなどの筆記具を差し込み可能な筆記具収納部２３と、印鑑を収納可能な印鑑収納部２４とが設けられている。財布付きバッグ１６は、小物収納部２０の裏面側に設けられたベルト２５を用いて腰に固定することもできる。なお、硬貨収納部１７および紙幣収納部１８の構成は、前記第２の実施形態と同様である。
【００１８】
このように、袋状に形成され、上部に口金４またはファスナーによって開閉される開口部３を備えた袋部２に、仕切り壁７，８によって仕切られた状態で互いに隣接して袋部２の内側に配置され硬貨を収納する２つ以上の硬貨収納部５ａ，５ｂ，５ｃとを備えた財布１において、仕切り壁７，８は扇形に形成された蛇腹状の伸縮部７ａ，８ａを備えており、開口部３が開閉されるとき伸縮部７ａ，８ａは開口部３の開閉方向に伸縮するので、開口部３が閉じられたときに仕切り壁７，８が折り曲げられて低くなることはなく、各硬貨収納部５ａ，５ｂ，５ｃに収納されている硬貨が、仕切り壁を乗り越えて、他の硬貨収納部５ａ，５ｂ，５ｃに収納されている硬貨と混ざり合うことを防止することができる。
【００１９】
さらに、袋部２には隣接して紙幣を収納する紙幣収納部１１ａ，１１ｂが２つ以上設けられているので、紙幣を分類して各紙幣収納部１１ａ，１１ｂに収納することができる。
【符号の説明】
【００２０】
１，１０  財布
２  袋部
３  開口部
４  口金
５ａ，５ｂ，５ｃ，５ｄ，１７  硬貨収納部
６，９  端部壁
６ａ，７ａ，８ａ，９ａ  伸縮部
７，８  仕切り壁
１１ａ，１１ｂ，１８  紙幣収納部
１２  仕切り壁
１３  蓋部  
１４，２１，２２  ファスナー
１５  カード収納部
１６  財布付きバッグ
１９  財布部
２０  小物収納部
２３  筆記具収納部
２４  印鑑収納部
２５  ベルト
【図１】
0003180449.tif 000003
【図２】
0003180449.tif 000004
【図３】
0003180449.tif 000005
【図４】
0003180449.tif 000006
【図５】
0003180449.tif 000007